(57)【要約】【課題】換気の際に浴室内に螺旋気流を形成して、浴室内全体の空気を動かしながら換気することが可能となる。【解決手段】浴室１の天井部２に設けた換気装置３を駆動することで、前記浴室１下部に設けた通気口４から前記換気装置３にかけて流れる空気流が発生して前記浴室１の換気が行われる。平面視で前記浴室１の壁部５内周に沿って回転する前記空気流を形成するための回転流形成部６を備えてある。【選択図】図１
2012154523.tif 000002
【特許請求の範囲】
【請求項１】
浴室の天井部に設けた換気装置を駆動することで、前記浴室下部に設けた通気口から前記換気装置にかけて流れる空気流が発生して前記浴室の換気が行われるものにおいて、平面視で前記浴室の壁部内周に沿って回転する前記空気流を形成するための回転流形成部を備えることを特徴とする浴室の換気構造。
【請求項２】
前記回転流形成部が前記壁部に設けられた送風装置により構成されていることを特徴とする請求項１記載の浴室の換気構造。
【請求項３】
平面視で前記壁部内周の複数個所に前記送風装置が設けられ、前記複数の送風装置の送風方向が平面視ですべて時計回り方向に沿うか、または平面視ですべて反時計回り方向に沿っていることを特徴とする請求項２記載の浴室の換気構造。
【発明の詳細な説明】
【技術分野】
【０００１】
本発明は、浴室の換気構造に関するものである。
【背景技術】
【０００２】
特許文献１は、従来の浴室換気構造である。この特許文献１を一例とする従来の浴室の換気構造は、図２に示すように、浴室１の天井部２に換気装置３を設けると共に、浴室１のドア１０の下部に通気口４となるガラリを設けている。
【０００３】
そして、換気装置３を駆動して浴室１内の換気をすることで、ドア１０の下部の通気口４から浴室１内に矢印イのように空気を取り込まれる。
【０００４】
ここで、ドア１０の下部の通気口４から浴室１内に取り込まれた空気が、最短距離を通って換気装置３で排気されるので、浴室１内には、図２の矢印ロに示すような通気口４から換気装置３に至る最短距離となった空気流が生じる。
【先行技術文献】
【特許文献】
【０００５】
【特許文献１】特許公開２００２−３７２２６７号公報
【発明の概要】
【発明が解決しようとする課題】
【０００６】
しかしながら、換気装置３による換気の際、図２の矢印ロに示すように、通気口４から換気装置３に至る最短距離となる空気流が生じると、この空気流により浴室１内の空気は図２の矢印ハのように少しは動くが、浴室１内全体の空気を動かすまでにはならない。
【０００７】
したがって、従来は浴室１内が乾き難く、浴室１内を乾燥するのに時間がかかるという問題がある。
【０００８】
本発明は上記の従来例の問題点に鑑みて発明したものであって、その目的とするところは、浴室内のほぼ全体を換気することが可能となる浴室の換気構造を提供するにある。
【課題を解決するための手段】
【０００９】
本発明の浴室の換気構造は、浴室の天井部に設けた換気装置を駆動することで、前記浴室下部に設けた通気口から前記換気装置にかけて流れる空気流が発生して前記浴室の換気が行われるものにおいて、平面視で前記浴室の壁部内周に沿って回転する前記空気流を形成するための回転流形成部を備えることを特徴とする、
ここで、前記回転流形成部が前記壁部に設けられた送風装置により構成されていることが好ましい。
【００１０】
また、平面視で前記壁部内周の複数個所に前記送風装置が設けられ、前記複数の送風装置の送風方向が平面視ですべて時計回り方向に沿うか、または平面視ですべて反時計回り方向に沿っていることが好ましい。
【発明の効果】
【００１１】
本発明は、上記のように構成することで、換気の際に浴室内に螺旋気流を形成して、浴室内全体の空気を動かしながら換気することが可能となる。
【図面の簡単な説明】
【００１２】
【図１】本発明の浴室の換気構造の概略斜視図である。
【図２】従来の浴室換気構造の概略斜視図である。
【発明を実施するための形態】
【００１３】
以下、本発明を添付図面に示す実施形態に基づいて説明する。
【００１４】
添付図面に示す実施形態は、浴室１が、周囲の壁部５、床部８、天井部２、浴槽部９等の部材を組立一体化することで形成した浴室ユニットの例を示している。
【００１５】
天井部２には、換気ファンを備えた換気装置３が設けてあり、換気装置３の下面部に形成した換気口が天井部２に開口している。
【００１６】
浴室１の壁部５は、四つの壁面部１１により構成しており、四つの壁面部１１のうち一壁面部１１に浴室１内への出入口を設け、この出入口にドア１０を開閉自在に設けている。
【００１７】
ドア１０の下部にガラリを設け、該ガラリに設けた横長スリット状の開口が浴室１内と外部とを連通する通気口４を構成している。
【００１８】
浴室１には、平面視で前記浴室１の壁部５内周に沿って回転する空気流を形成するための回転流形成部６を備えている。
【００１９】
添付図面に示す実施形態では、壁面部１１の上下方向の略中間部又は下部に送風装置７を設けており、この送風装置７が平面視で浴室１の壁部５内周に沿って回転する空気流を形成するための回転流形成部６を構成している。
【００２０】
壁面部１１に設けた送風装置７は、その送風方向が平面視で該壁面部１１の内面に沿った一方向となるように構成されている。
【００２１】
送風装置７は、浴室１の内周面を構成する複数の壁面部１１のうち、１又は複数の壁面部１１に設けている。
【００２２】
ここで、好ましくは、浴室１の内周面を構成する四つの壁面部１１のうち複数の壁面部１１に送風装置７を設けるのがよい。更に、好ましくは浴室１の内周面を構成する四つの壁面部１１にそれぞれ送風装置７を設けるのがよい。
【００２３】
送風装置７を複数の壁面部１１に設ける場合、複数の送風装置７の送風方向が平面視ですべて時計回り方向に沿う方向となるか、または平面視ですべて反時計回り方向に沿う方向となるかのいずれかとなるように、複数の壁面部１１にそれぞれ送風装置７を取付ける。
【００２４】
これにより複数の送風装置７を駆動することで、平面視で浴室１の四つの壁面部１１により構成される壁部５の内周に沿って回転する空気流を効果的に形成することができる。
【００２５】
図１に示す実施形態では、浴室１の壁部５を構成する四つの壁面部１１にそれぞれ送風装置７を設けた例を示している。
【００２６】
ここで、各送風装置７は、いずれも壁部５のコーナ部（壁面部１１と壁面部１１とのなすコーナ部）の近く（壁面部１１の巾方向の一方の端部側にずれた位置）に設けている。
【００２７】
これにより、各壁面部１１に設けた送風装置７で送風された空気流は、図１の矢印ホのように該送風装置７を取付けた壁面部１１の巾方向に沿って一方の端部付近から他方の端部側に流れる。同様にして、隣の送風装置７で送風された空気流は、隣の送風装置７取付けた壁面部１１の巾方向に沿って一方の端部付近から他方の端部側に流れる。
【００２８】
このようにして、四つの壁面部１１に設けた送風装置７でそれぞれ送風された空気流が、四つの壁面部１１の各巾方向にわたって図１の矢印ホのように流れることで、四つの壁面部１１よりなる浴室１の内周面に沿う回転流が形成されることになる。
【００２９】
以下、浴室１内の換気運転につき説明する。
【００３０】
浴室１内を換気するに当たっては、換気装置３を駆動運転すると共に、送風装置７を駆動運転する。
【００３１】
ドア１０の下部に設けた通気口４から浴室１内に取入れられた空気は、換気装置３により排気されるため、浴室１において下から上へと流れる空気流が形成される。ここで、送風装置７を運転することで作られる平面視で浴室１の壁部５内周に沿って回転する空気流が形成されるので、両空気流れが合わさって浴室１内に図１矢印ニに示すような、下から上へと流れる螺旋流が形成されることになる。
【００３２】
つまり、ドア１０の下部に設けた通気口４から矢印イのように浴室１内の下部に取入れられた空気が、図１の矢印ニに示すような浴室１内の下部から天井部２の換気装置３に向かう螺旋流となって流れる。
【００３３】
このように換気装置３、送風装置７を駆動運転して換気を行うことで、浴室１内を空気が下から上に向けて螺旋流となって流れるので、浴室１内の略全体の空気を動かしながら換気装置３で換気される。したがって、浴室１内の略全体が早く乾燥することなる。
【符号の説明】
【００３４】
１  浴室
２  天井部
３  換気装置
４  通気口
５  壁部
６  回転流形成部
７  送風装置
【図１】
2012154523.tif 000003
【図２】
2012154523.tif 000004